【手続補正書】
【提出日】平成19年3月27日(2007.3.27)
【手続補正１】
【補正対象書類名】明細書
【補正対象項目名】特許請求の範囲
【補正方法】変更
【補正の内容】
【特許請求の範囲】
【請求項１】  表示機能を有する制御端末装置と、
通信ネットワークを通じて、前記制御端末装置に接続されたサーバ装置と、
前記サーバ装置に接続され、制御信号に基づいて動作する被制御機器とを含み、
前記制御端末装置は、
前記被制御機器に関する検索条件を送信する検索条件送信部と、
前記サーバ装置に接続され、前記サーバ装置より受信したデータに基づいて、前記被制御機器の状態を表示する表示部と、
前記被制御機器を制御する制御信号を送信する制御信号送信部とを含み、
前記サーバ装置は、
前記検索条件送信部に接続され、前記検索条件に合致する前記被制御機器の状態を示すデータを作成し、前記制御端末装置に送信する状態送信部と、
前記制御信号送信部および前記被制御機器に接続され、前記制御信号送信部から受信した制御信号に基づいて、前記被制御機器を制御する機器制御部とを含む、ホームエレクトロニクスシステム。
【請求項２】  前記検索条件送信部は、被制御機器の種類条件を送信し、
前記状態送信部は、受信した前記種類条件に合致する前記被制御機器の状態を示すデータを作成し、前記制御端末装置に送信する、請求項１に記載のホームエレクトロニクスシステム。
【請求項３】  前記検索条件送信部は、被制御機器の状態条件を送信し、
前記状態送信部は、受信した前記状態条件に合致する前記被制御機器の状態を示すデータを作成し、前記制御端末装置に送信する、請求項１に記載のホームエレクトロニクスシステム。
【請求項４】  前記検索条件送信部は、前記被制御機器が設置されているエリア条件を送信し、
前記状態送信部は、受信した前記エリア条件に合致するエリアに存在する前記被制御機器の状態を示すデータを作成し、前記制御端末装置に送信する、請求項１に記載のホームエレクトロニクスシステム。
【請求項５】  前記サーバ装置は、さらに、被制御機器のアイコンを記憶するアイコン記憶部を含み、
前記状態送信部は、前記検索条件に合致する前記被制御機器のアイコンおよび状態を含むデータを作成し、前記制御端末装置に送信する、請求項１に記載のホームエレクトロニクスシステム。
【請求項６】  前記制御端末装置は、さらに、前記表示部が受信するデータのフォーマットを送信するフォーマット送信部を含み、
前記状態送信部は、前記フォーマット送信部より前記フォーマットを受信し、前記フォーマットに従ったデータを前記制御端末装置に送信する、請求項１〜５のいずれかに記載のホームエレクトロニクスシステム。
【請求項７】  前記制御端末装置は、さらに、前記表示部に表示されるデータの解像度を送信する解像度送信部を含み、
前記状態送信部は、前記解像度送信部より前記解像度を受信し、前記解像度を有するデータを作成し、前記制御端末装置に送信する、請求項１〜６のいずれかに記載のホームエレクトロニクスシステム。
【請求項８】  表示機能を有する制御端末装置に接続されるとともに、制御信号に基づいて動作する被制御機器に接続されるホームサーバ装置であって、
前記制御端末装置に接続され、前記制御端末装置より受信した検索条件に合致する前記被制御機器の状態を示すデータを作成し、前記制御端末装置に送信する状態送信部と、
前記制御端末装置および前記被制御機器に接続され、前記制御端末装置から受信した制御信号に基づいて、前記被制御機器を制御する機器制御部とを含む、ホームサーバ装置。
【請求項９】  前記状態送信部は、前記制御端末装置より送信された前記被制御機器の種類条件に合致する前記被制御機器の状態を示すデータを作成し、前記制御端末装置に送信する、請求項８に記載のホームサーバ装置。
【請求項１０】  前記状態送信部は、前記制御端末装置より受信した前記被制御機器の状態条件に合致する前記被制御機器の状態を示すデータを作成し、前記制御端末装置に送信する、請求項８に記載のホームサーバ装置。
【請求項１１】  前記状態送信部は、前記制御端末装置より受信したエリア条件に合致するエリアに存在する前記被制御機器の状態を示すデータを作成し、前記制御端末装置に送信する、請求項８に記載のホームサーバ装置。
【請求項１２】  さらに、被制御機器のアイコンを記憶するアイコン記憶部を含み、
前記状態送信部は、前記検索条件に合致する前記被制御機器のアイコンおよび状態を含むデータを作成し、前記制御端末装置に送信する、請求項８に記載のホームサーバ装置。
【請求項１３】  前記状態送信部は、前記制御端末装置よりフォーマットを示す信号を受信し、そのフォーマットに従ったデータを前記制御端末装置に送信する、請求項８〜１２のいずれかに記載のホームサーバ装置。
【請求項１４】  前記状態送信部は、前記制御端末装置より解像度を示す信号を受信し、その解像度を有するデータを作成し、前記制御端末装置に送信する、請求項８〜１３のいずれかに記載のホームサーバ装置。
【請求項１５】  コンピュータをホームサーバ装置として機能させるためのプログラムを記録したコンピュータ読取可能な記録媒体であって、
前記ホームサーバ装置は、
表示機能を有する制御端末装置と、
通信ネットワークを通じて、前記制御端末装置に接続されたホームサーバ装置と、
前記ホームサーバ装置に接続され、制御信号に基づいて動作する被制御機器とを含むホームエレクトロニクスシステムで用いられ、
前記制御端末装置に接続され、前記制御端末装置より受信した検索条件に合致する前記被制御機器の状態を示すデータを作成し、前記制御端末装置に送信する状態送信部と、
前記制御端末装置および前記被制御機器に接続され、前記制御端末装置から受信した制御信号に基づいて、前記被制御機器を制御する機器制御部とを含む、コンピュータ読取可能な記録媒体。
【請求項１６】  前記状態送信部は、前記制御端末装置より送信された前記被制御機器の種類条件に合致する前記被制御機器の状態を示すデータを作成し、前記制御端末装置に送信する、請求項１５に記載のコンピュータ読取可能な記録媒体。
【請求項１７】  前記状態送信部は、前記制御端末装置より受信した前記被制御機器の状態条件に合致する前記被制御機器の状態を示すデータを作成し、前記制御端末装置に送信する、請求項１５に記載のコンピュータ読取可能な記録媒体。
【請求項１８】  前記状態送信部は、前記制御端末装置より受信したエリア条件に合致するエリアに存在する前記被制御機器の状態を示すデータを作成し、前記制御端末装置に送信する、請求項１５に記載のコンピュータ読取可能な記録媒体。
【請求項１９】  前記ホームサーバ装置は、さらに、被制御機器のアイコンを記憶するアイコン記憶部を含み、
前記状態送信部は、前記検索条件に合致する前記被制御機器のアイコンおよび状態を含むデータを作成し、前記制御端末装置に送信する、請求項１５に記載のコンピュータ読取可能な記録媒体。
【請求項２０】  前記状態送信部は、前記制御端末装置よりフォーマットを示す信号を受信し、そのフォーマットに従ったデータを前記制御端末装置に送信する、請求項１５〜１９のいずれかに記載のコンピュータ読取可能な記録媒体。
【請求項２１】  前記状態送信部は、前記制御端末装置より解像度を示す信号を受信し、その解像度を有するデータを作成し、前記制御端末装置に送信する、請求項１５〜１９のいずれかに記載のコンピュータ読取可能な記録媒体。